(57)【要約】【課題】  肘や膝の関節部などに装着が容易で且つ薄手構造のズレ防止機能を有するサポーターの提供を図る。【解決手段】  肘や膝の関節部などに着用されるズレ防止用のサポーターであって、円形に繋がれる帯状のサポーターを半周中央より裏表に折り返して形成される三角状の重複部を固着することで、締付けバンドの折り返し部と締付け部の締付け方向が異なる構成となっている。前記折り返し部または締付け部のいずれか一方を二分割して開放し、該開放端に面ファスナーを設けた構成を採用することも可能である。【選択図】図１
2011236519.tif 000002
【特許請求の範囲】
【請求項１】
肘や膝の関節部などに着用されるズレ防止機能を有するサポーターであって、
円形に繋がれる帯状のサポーターを半周中央より裏表に折り返して形成される三角状の重複部を固着することで、締付けバンドの折り返し部と締付け部の締め付け方向が異なることを特徴とするズレ防止サポーター。
【請求項２】
前記折り返し部または締付け部のいずれか一方を二分割して開放し、該開放端に面ファスナーを設けたことを特徴とする請求項１に記載のズレ防止サポーター。
【請求項３】
前記締付けバンドの下端部周縁部にハイソックスまたは筒状のサポーターの開口部を連設したことを特徴とする請求項１記載または請求項２に記載のズレ防止サポーター。
【発明の詳細な説明】
【技術分野】
【０００１】
本発明は、サポーターに関し、詳しくは、肘や膝の関節部などに装着され、ズレ防止機能を有するサポーターに関するものである。
【背景技術】
【０００２】
従来より、肘や膝の関節部を固定したり保護したりするサポーターにおいては、サポーターの上下端に伸縮自在のベルト帯を設けて身体に固定する手段が用いられている。例えば、特開２００３-２８６６０６号公報に記載の「肘用サポーター」（特許文献１）や、特開２００２-６５７１１号公報に記載されている「肘関節用サポーター」（特許文献２）、特開２００１-１２９００７号公報に記載の「膝用サポーター」（特許文献３）、そして特開平８-３３２１９６号公報に記載されている「ひざ装着用整体具」（特許文献４）などが提案されている。
【０００３】
しかしながら、それらの提案らのいずれも、身体の肘や膝の関節部に装着された場合、肘や膝の動きによってサポーター自体が関節部よりズレてしまうため、度々装着仕直したり、装着ズレによる違和感を感じながら装着し続けなければならなかった。
【０００４】
そのような問題点を解決すべく、従来の手段として、締付けベルト帯をクロス状に交差させる提案がなされている。例えば、特開２００８-２４５９８９号公報に記載の「膝サポーター」（特許文献５）や、特開２００１-２９３７２号公報に記載された「関節ねじれ防止用サポーター」（特許文献６）などが、従来より提案されている。
【０００５】
しかしながら、それらの提案のいずれも、締め付けベルト帯をクロス状に交差させて装着するため、装着が面倒であったり、装着時の衣類の服装ラインが崩れたり、締め付け構造が複雑であるためサポーター自体の製造コストが高い欠点があった。
【０００６】
【特許文献１】特開２００３-２８６６０６号公報
【特許文献２】特開２００２-６５７１１号公報
【特許文献３】特開２００１-１２９００７号公報
【特許文献４】特開平８-３３２１９６号公報
【特許文献５】特開２００８-２４５９８９号公報
【特許文献６】特開２００１-２９３７２号公報
【発明の概要】
【発明が解決しようとする課題】
【０００７】
本発明は、上記問題点に鑑み、肘や膝の関節部などに装着が容易で且つ薄手構造のズレ防止機能を有するサポーターの提供を図ることを課題とするものである。
【課題を解決するための手段】
【０００８】
上記課題を達成するため、本発明は、肘や膝の関節部などに着用されるズレ防止用のサポーターであって、円形に繋がれる帯状のサポーターを半周中央より裏表に折り返して形成される三角状の重複部を固着することで、締付けバンドの折り返し部と締付け部の締め付け方向が異なる構成となっている。
【０００９】
また、本発明は、前記折り返し部または締付け部のいずれか一方を二分割して開放し、該開放端に面ファスナーを設けた構成を採用し得る。
【００１０】
さらに、本発明は、締付けバンドの下端部周縁部に、ハイソックスまたは筒状のサポーターの開口部を連設した構成を採ることも可能である。
【発明の効果】
【００１１】
本発明にかかるズレ防止サポーターによれば、例えば関節部を中心として、折り返し部と締付け部とが夫々別方向に締め付けることとなるため、長時間装着してもズレが生じないという優れた効果を奏するものである。
【００１２】
また、本発明にかかるズレ防止サポーターによれば、締付けバンドの一部を折り返して使用するため、裏側の被覆部の屈伸性が高く、また嵩張らず装着感が薄いという優れた効果も得ることができる。
【００１３】
さらに、本発明にかかるズレ防止サポーターによれば、極めて簡単な構造であるため、製造単価が低廉であるとともに、装着容易性を兼ね備えた優れた効果を奏するものである。
【００１４】
そしてまた、本発明にかかるズレ防止サポーターによれば、ソックス、プロテクトサポーター、湿布剤などのズレ防止用の締め付け帯としても使用できる優れた効果が得られるものである。
【図面の簡単な説明】
【００１５】
【図１】本発明にかかるズレ防止サポーターの請求項１記載の実施形態を示す説明図である。（実施例１）
【図２】本発明にかかるズレ防止サポーターの請求項２記載の実施形態を示す説明図である。（実施例２）
【図３】本発明にかかるズレ防止サポーターの請求項３記載の実施形態を示す説明図である。（実施例３）
【発明を実施するための形態】
【００１６】
本発明は、肘や膝の関節部などに着用されるズレ防止機能を有するサポーターであって、円形に繋がれる帯状のサポーターを半周中央より裏表に折り返して形成される三角状の重複部２４を固着することで、締付けバンド２１の折り返し部２２と締付け部２３の締め付け方向が異なる構成を採用したことを最大の特徴とする。以下、本発明にかかるズレ防止サポーター１０の実施形態を、図面に基づき説明する。
【００１７】
なお、本実施形態で示すズレ防止サポーターに関する寸法、材質、形状、その他装着箇所などについては、下記に述べる実施例に限定されるものではなく、本発明の趣旨に逸脱しない範囲で任意に変更することができる。
【実施例１】
【００１８】
図１は、本発明にかかるズレ防止サポーター１０の請求項１記載の実施形態を示す説明図であり、図１（ａ）は全体図並びに形成手順を示し、図１（ｂ）は使用状態を示している。
本発明にかかるズレ防止用のサポーター１０は、肘や膝の関節部Ｋなどに装着されるズレ防止用のサポーターであって、円形に繋がれる帯状のサポーターを半周中央より裏表に折り返して形成される三角状の重複部２４を固着することで、折り返し部２２と締付け部２３の締め付け方向が異なって構成される。
【００１９】
締付けバンド２１は、内側方向に締め付ける円形に繋がれる帯状の伸縮自在の締付け布体から成り、折り返し部２２と締付け部２３とで構成され、任意の装着位置（関節部Ｋなど）に装着される。
【００２０】
折り返し部２２は、円形に繋がれる帯状のサポーターを半周中央より裏表に折り返して形成され、装着箇所（関節部Ｋなど）の中心に向かって締め付ける構造を有する。
【００２１】
締付け部２３は、円形に繋がれる帯状の形状を有して、装着箇所（肘や膝など）の胴部を直接締め付ける構造を有する。
【００２２】
重複部２４は、円形に繋がれる帯状のサポーターを半周中央より裏表に折り返して三角状に形成されるもので、重複する三角の形状によって折り返し部２２の締め付け方向を変えることができ、また、逢着または固着することで折り返し部２２と締付け部２３の締め付け方向が交差してズレ落ちしない構造となる。
【００２３】
装着方法は、両手で円輪状に拡張した締付けバンド２１に足先から順に脚部を差し入れ、所定の装着位置（図面では膝の関節部Ｋ）方向へ移動させ、締め付け部２３を装着箇所（関節部Ｋ）の裏側の位置に当接させ、次に折り返し部２２を装着箇所（膝の関節部Ｋ）の上部に当てがって、ベストポジションにズレ防止サポーター１０が位置するよう、該ズレ防止サポーター１０を前後左右微調節して装着する。
【００２４】
以上のように装着することによって、締付けバンド２１と折り返し部２２が装着箇所（関節部Ｋの膝）に向かって夫々締め付けるため、締め付け力が当該装着箇所（屈曲する関節部Ｋ）に向かって常時働いているため、長時間の着用ならびに過激な関節の動きにおいても、決してズレ落ちしない構造となる。
【実施例２】
【００２５】
図２は、本発明にかかるズレ防止サポーター１０の請求項２記載の実施形態を示す説明図であり、図２（ａ）は全体斜視図を示し、図２（ｂ）は使用状態を示している。
帯状のサポーターの折り返し部２２若しくは締付け部２３のいずれか一方を二分割して開放し、該開放端２５に面ファスナー２６を設けて着脱自在に構成される。なお図面では、折り返し部２２を二分割した場合について示している。
【００２６】
開放端２５は、折り返し部２２若しくは締付け部２３が二分割されることで開放された端部であって、該開放された両端部には、面ファスナー２６が設けられている。
【００２７】
かかる開放端に面ファスナー２６を設けた本発明にかかるズレ防止サポーター１０は、取り付け・取り外しが容易であるとともに、サポーターの締め付け力を着用者の好みに合わせて自在に調節することが可能となる。
【００２８】
図示した構造のズレ防止サポーター１０による装着方法を説明すると、両手で開放された折り返し部２２の開放端２５の端を持ち、締付け部２３を装着位置の裏側（関節部Ｋの裏側）に当接させ、次いで折り返し部２２を装着位置の上部（膝の関節部Ｋの上部）に当てがい、ベストポジションにズレ防止サポーター１０が位置するよう、該ズレ防止サポーター１０を前後左右微調節しつつ、締め付け強度も考慮して装着する。
【００２９】
以上のように装着することによって、ズレ防止サポーター１０の締め付け力を、着用者の好みに合わせて任意に調節することができる。
【００３０】
本発明にかかるズレ防止サポーター１０は、折り返し部２２若しくは締付け部２３を二分割して面ファスナー２６を設けた構成を採用しているが、締付けバンド２１が円形に繋がれる帯状の伸縮自在の締付け布体であるため、締付けバンド２１の側面にフックやホックなどの係止具を逢着させる構造を採ることもできる。
【実施例３】
【００３１】
図３は、本発明にかかるズレ防止サポーター１０の請求項３記載の実施形態を示す説明図であり、図３（ａ）及び図３（ｂ）は全体斜視図を示し、図３（ｃ）は使用状態を示している。
締付けバンド２１の下端部周縁部２９に、ハイソックス３０または筒状のサポーター４０の開口部３１，４１を縫合して連設するもので、着用する脛用サポーターとハイソックス３０の着用ズレを同時に防止することができる。
【００３２】
装着方法は、通常のハイソックスや円筒状のサポーターを着用する要領で足り、それにより本発明にかかるズレ防止サポーター１０を同時に装着できる。
【００３３】
以上のように簡単に装着できるため、ハイソックスや膝用のサポーターの中に保温剤などを長時間ズリ落ちすることなく保持することができる。
【００３４】
また、サッカー用のポロテクターソックスや女子学生の通学ソックス、バレーボール競技の膝保護用サポーター、ビジネス用やアウトドア用のハイソックスなど、幅広く使うことができるものである。
【産業上の利用可能性】
【００３５】
本発明は、以上のようなスポーツ用や医療用の外に、保温用、介護補助、農作業用、漁業装着具など、あらゆる分野におけるズレ防止対策として幅広く使用できるものであって、本発明にかかるズレ防止サポーター１０の産業上の利用可能性は極めて高いものと解する。
【符号の説明】
【００３６】
１０    ズレ防止サポーター
２１    締付けバンド
２２    折り返し部
２３    締付け部
２４    重複部
２５    開放端
２６    面ファスナー
２７    表部
２８    裏部
２９    下端部周縁部
３０    ハイソックス
３１    開口部
４０    筒状のサポーター
４１    開口部
Ｋ    関節部
【図１】
2011236519.tif 000003
【図２】
2011236519.tif 000004
【図３】
2011236519.tif 000005